(57)【要約】【課題】  操作者が操作方向を変えることなく、２段階のスイッチの切り替えを精度良く行うことを可能とした押釦スイッチ装置を提供する。【解決手段】  筐体（１０）は、操作片（１）の往復動方向の所定位置に固定配置された突起部（２）と、該突起部（２）が固定配置された位置と反対側の位置に配設された可動接点（４）と、を有し、突起部（２）には第１のスイッチ（３）が実装され、可動接点（４）が第２のスイッチ（４）となる。そして、操作片（１）の移動により、操作片（１）の先端部が、突起部（２）に実装された第１のスイッチ（３）と当接した際に、第１のスイッチ（３）が導通可能となり、操作片（１）の先端部が、突起部（２）により可動接点（４）を押圧する方向に躍動案内され、操作片（１）の先端部が可動接点（４）を押圧した際に、第２のスイッチ（４）が導通可能となる。【選択図】  図４
2006202527.tif 000002
【特許請求の範囲】
【請求項１】
操作片を筐体内で往復動させ、スイッチ操作を行う押釦スイッチ装置であって、
前記筐体は、前記操作片の往復動方向の所定位置に固定配置された突起部と、前記突起部が固定配置された位置と反対側の位置に配設された可動接点と、を有し、前記突起部には第１のスイッチが実装されており、前記可動接点が第２のスイッチとなり、
前記操作片の移動により、前記操作片の先端部が、前記突起部に実装された前記第１のスイッチと当接した際に、前記第１のスイッチが導通可能となり、前記操作片の先端部が、前記突起部により前記可動接点を押圧する方向に躍動案内され、前記操作片の先端部が前記可動接点を押圧した際に、前記第２のスイッチが導通可能となることを特徴とする押釦スイッチ装置。
【請求項２】
前記第１スイッチは、２つの端子からなり、該２つの端子が、前記突起部に実装されており、また、前記操作片の先端部には、導体が実装されており、前記操作片の先端部が、前記突起部に実装された前記第１スイッチと当接した際に、前記操作片の先端部に実装された導体が、前記突起部に実装された前記２つの端子と、当接し、前記突起部に実装された前記２つの端子が導通し、前記第１スイッチが導通可能となることを特徴とする請求項１記載の押釦スイッチ装置。
【請求項３】
前記第１スイッチは、２つの端子からなり、該２つの端子が、前記突起部に実装されており、また、前記突起部と前記操作片との間には導体が実装された基板が配設されており、
前記操作片の移動により、前記基板に実装された前記導体を、前記突起部に実装された前記２つの端子に当接し、前記突起部に実装された前記２つの端子が導通し、前記第１スイッチが導通可能となることを特徴とする請求項１記載の押釦スイッチ装置。
【請求項４】
前記第１スイッチは、２つの端子からなり、一方の端子が、前記突起部に実装されており、また、前記突起部と前記操作片との間には他方の端子が実装された基板が配設されており、
前記操作片の移動により、前記基板に実装された前記他方の端子を、前記突起部に実装された前記一方の端子に当接し、前記一方の端子と、前記他方の端子と、が導通し、前記第１スイッチが導通可能となることを特徴とする請求項１記載の押釦スイッチ装置。
【請求項５】
前記第１スイッチが導通可能となる際に、前記操作片にクリック感を生じさせることを特徴とする請求項１から４の何れか１項に記載の押釦スイッチ装置。
【請求項６】
前記操作片と、前記筐体と、に突起部を設け、前記第１スイッチが導通可能となる際に、前記操作片に設けた突起部と、前記筐体に設けた突起部と、が接触し、前記操作片にクリック感を生じさせることを特徴とする請求項５記載の押釦スイッチ装置。
【請求項７】
前記筐体と、前記基板と、に突起部を設け、前記第１スイッチが導通可能となる際に、前記筐体に設けた突起部と、前記基板に設けた突起部と、が接触し、前記操作片にクリック感を生じさせることを特徴とする請求項５記載の押釦スイッチ装置。
【請求項８】
前記可動接点は、円形ドーム状であることを特徴とする請求項１記載の押釦スイッチ装置。
【請求項９】
請求項１から８の何れか１項に記載の押釦スイッチ装置を搭載したことを特徴とする電子機器。
【発明の詳細な説明】
【技術分野】
【０００１】
本発明は、各種電子機器のスイッチ操作に使用される押釦スイッチ装置に関するものであり、特に、横押し型の押釦スイッチ装置に関するものである。
【背景技術】
【０００２】
近年、電子機器の構成上、プリント配線板面と平行に操作片を移動操作し、スイッチ操作を行う横押し型の押釦スイッチ装置の需要が高まりつつある。また、電子機器の小型化、薄型化に伴い、投影面積が小さく薄型で、実装性に優れていることも強く要望されている。
【０００３】
なお、従来の横押し型の押釦スイッチ装置の構成を図１、図２に示す。なお、図１は、円形状のドームスイッチ（４）が筐体（１０）の底平面に配置された１段階のスイッチ構造の押釦スイッチ装置であり、図２は、円形状のドームスイッチ（４）が筐体（１０）の側面に配置された１段階のスイッチ構造の押釦スイッチ装置である。
【０００４】
従来の横押し型の押釦スイッチ装置は、図１に示すように、操作片（１）を筐体（１０）内に押し込んだ際に、操作片（１）の先端部が方向変更ガイド（２）に接触し、操作片（１）を更に筐体（１０）内に押し込むことで、操作片（１）の先端部の進行方向が図１に示す矢印方向（Ａ）に変化し、筐体（１０）の平面に配置されたドームスイッチ（４）を押下する構造となっている。また、図２に示すように、操作片（１）を筐体（１０）内に押し込んだ際に、操作片（１）の先端部が筐体（１０）の側面に配置されたドームスイッチ（４）を押下する構造となっている。なお、図１に示す押釦スイッチ装置は、ドームスイッチ（４）が筐体（１０）の平面に配置されているため、図２に示す押釦スイッチ装置に比べて、装置全体の薄型化を図ることが可能となる。
【０００５】
また、近年では、各種電子機器の機能も多様化しており、各種機能が搭載された電子機器を操作する押釦スイッチ装置の押釦の数も増大する傾向にあるのが現状である。このため、図３に示すような２段階のスイッチ構造を適用した押釦スイッチ装置がある。
【０００６】
なお、一般的にドームスイッチの形状を小さく構築することは技術的に困難なことから、図３に示す２段階のスイッチ構造において、小さい方の２段目のドームスイッチ（４２）の形状を小さくすることが出来ず、結果的に大きい方の１段目のドームスイッチ（４１）の形状が大きくなってしまうことになる。このため、一般的に、図１、図２に示すドームスイッチ（４）の位置に、図３に示す２段階のスイッチ構造を適用した場合には、１段目のドームスイッチ（４１）の形状が大きくなり、図１、図２に示す筐体（１０）の形状が大きくなってしまうことになる。従って、図３に示す２段階のスイッチ構造を適用した押釦スイッチ装置は、押釦スイッチ装置全体の厚さ、または、押釦スイッチ装置の形状が大きくなってしまうことになる。
【０００７】
また、図３に示す２段階のスイッチ構造を適用した押釦スイッチ装置は、筐体（１０）に配置された１段目のドームスイッチ（４１）を、操作片（１）の先端部で押下し、１段目のドームスイッチ（４１）を閉状態にする際に、必ずクリック感を発生させてしまうことになる。このため、薄型化・小型化を図る電子機器に、図３に示す２段階のスイッチ構造を適用すると、手ぶれなどの懸念材料を生じさせることになってしまう。従って、図３に示す２段階のスイッチ構造を適用した押釦スイッチ装置では、２段階のスイッチの切り替えを精度良く行うことが困難となる。
【０００８】
なお、本発明より先に出願された技術文献として、操作体２６の操作部２７と接点押圧部２９を一体のブロック状とし、操作体２６の押圧操作時に、接点押圧部２９が弾性を有する可動接点２４を押圧する方向に躍動案内する突起３４を、操作体２６の上方からスイッチケース２１の上面を塞ぐように取付けられた隙間のない押え板３３の平板部下面に設け、投影面積が小さく薄型で、自動実装性に優れたプッシュオンスイッチがある（例えば、特許文献１参照）。
【０００９】
また、接点押圧部２７Ａと操作部２７Ｂを一体のブロック状とした操作体２７を、前方が低くなるように傾いたスイッチベース２１の内底面２１Ｂに収容された弾性を有する可動接点２４上に配し、この操作体２７の上方からスイッチベース２１全体を覆い、操作体２７の押圧操作時に接点押圧力部２７Ａを可動接点２４を押圧する方向に躍動案内する上面平板部２６Ａに隙間のないカバー２６を取り付けることに投影面積が小さく薄型で、自動実装性に優れたプッシュオンスイッチがある（例えば、特許文献２参照）。
【００１０】
また、絶縁基板１１上に円周状に配列された下部接点１２ａおよび下部中心点１２ｂと、それらと対向するように配列された上部接点１３ａおよび上部中心接点１３ｃと、下部接点１２ａと上部接点１３ａまたは下部中心接点１２ｂと上部中心接点１３ｃを押圧しかつ接続させる円周状突起部１５ｄと凸部とで構成したもので、小型で多機能の押しボタンスイッチ装置がある（例えば、特許文献３参照）。
【００１１】
また、操作ボタンに移動部材が往復動可能に連結され、該移動部材の先端面によって一のスイッチが操作される操作ボタン装置において、前記移動部材の先端面を除く箇所に突起部が形成され、該突起部の移動領域内に前記一のスイッチと関連する他のスイッチが設けられたことを特徴とする操作ボタン装置がある（例えば、特許文献４参照）。
【００１２】
また、操作部材の第１のストローク移動により１段目のスイッチ素子を動作させ、前記第１ストロークより長い第２ストローク移動により２段目のスイッチ素子を動作させる押釦スイッチにおいて、前記１段目のスイッチ素子がケースの側壁に、前記２段目のスイッチ素子がケースの底面上に設けられ、前記１段目のスイッチ素子は操作部材の第１ストローク移動により該操作部材に押圧されてスイッチ素子の作動体を作動させる板ばねを備え、前記２段目のスイッチ素子は椀状の弾性材料より成る可動切片を備え、該可動切片が操作部材の第１ストロークにおいては第２ストローク移動を阻止する方向に不勢力を発生すると共に、第２ストローク移動においては操作部材に押圧されて２段目のスイッチ素子を動作させるようにしたことを特徴とする押釦スイッチがある（例えば、特許文献５参照）。
【特許文献１】特開平１１−３９９８７号公報
【特許文献２】特開平１１−５３９８０号公報
【特許文献３】特開平６−１３１９４３号公報
【特許文献４】実開昭６１−１０１９１７号公報
【特許文献５】実開昭５８−１５０２３２号公報
【発明の開示】
【発明が解決しようとする課題】
【００１３】
なお、上記特許文献１、２は、横押し型の１段階型のプッシュオンスイッチであり、図１に示す従来の押釦スイッチ装置と概略的に同じ構造のものであるため、２段階のスイッチ構造については何ら考慮されたものではない。また、上記特許文献３は、２段階のスイッチ構造の押しボタンスイッチ装置であるが、操作者が２段階に操作方向を変えることでスイッチの切り替えが行われる構造となっており、操作者が操作方向を変えることなく、スイッチの切り替えを行うことについては何ら考慮されたものではない。また、上記特許文献４、５は、操作者が操作方向を変えることなく、２段階のスイッチの切り替えを行う構造となっているが、２段階のスイッチの切り替えを精度良く行うように構築されたものではない。また、上記特許文献４、５の構造は、図２に示す押釦スイッチ装置と同じ構造のものであるため、図１に示す押釦スイッチ装置のように、薄型化を図ることはできない構造となっている。
【００１４】
本発明は上記事情に鑑みてなされたものであり、操作者が操作方向を変えることなく、２段階のスイッチの切り替えを精度良く行うことを可能とした押釦スイッチ装置及び電子機器を提供することを目的とするものである。
【課題を解決するための手段】
【００１５】
かかる目的を達成するために、本発明は以下の特徴を有することとする。
【００１６】
本発明にかかる押釦スイッチ装置は、操作片を筐体内で往復動させ、スイッチ操作を行う押釦スイッチ装置であって、筐体は、操作片の往復動方向の所定位置に固定配置された突起部と、突起部が固定配置された位置と反対側の位置に配設された可動接点と、を有し、突起部には第１のスイッチが実装されており、可動接点が第２のスイッチとなり、操作片の移動により、操作片の先端部が、突起部に実装された第１のスイッチと当接した際に、第１のスイッチが導通可能となり、操作片の先端部が、突起部により可動接点を押圧する方向に躍動案内され、操作片の先端部が可動接点を押圧した際に、第２のスイッチが導通可能となることを特徴とするものである。
【００１７】
また、本発明にかかる押釦スイッチ装置において、第１スイッチは、２つの端子からなり、該２つの端子が、突起部に実装されており、また、操作片の先端部には、導体が実装されており、操作片の先端部が、突起部に実装された第１スイッチと当接した際に、操作片の先端部に実装された導体が、突起部に実装された２つの端子と、当接し、突起部に実装された２つの端子が導通し、第１スイッチが導通可能となることを特徴とするものである。
【００１８】
また、本発明にかかる押釦スイッチ装置において、第１スイッチは、２つの端子からなり、該２つの端子が、突起部に実装されており、また、突起部と操作片との間には導体が実装された基板が配設されており、操作片の移動により、基板に実装された導体を、突起部に実装された２つの端子に当接し、突起部に実装された２つの端子が導通し、第１スイッチが導通可能となることを特徴とするものである。
【００１９】
また、本発明にかかる押釦スイッチ装置において、第１スイッチは、２つの端子からなり、一方の端子が、突起部に実装されており、また、突起部と操作片との間には他方の端子が実装された基板が配設されており、操作片の移動により、基板に実装された他方の端子を、突起部に実装された一方の端子に当接し、一方の端子と、他方の端子と、が導通し、第１スイッチが導通可能となることを特徴とするものである。
【００２０】
また、本発明にかかる押釦スイッチ装置は、第１スイッチが導通可能となる際に、操作片にクリック感を生じさせることを特徴とするものである。
【００２１】
また、本発明にかかる押釦スイッチ装置は、操作片と、筐体と、に突起部を設け、第１スイッチが導通可能となる際に、操作片に設けた突起部と、筐体に設けた突起部と、が接触し、操作片にクリック感を生じさせることを特徴とするものである。
【００２２】
また、本発明にかかる押釦スイッチ装置は、筐体と、基板と、に突起部を設け、第１スイッチが導通可能となる際に、筐体に設けた突起部と、基板に設けた突起部と、が接触し、操作片にクリック感を生じさせることを特徴とするものである。
【００２３】
また、本発明にかかる押釦スイッチ装置において、可動接点は、円形ドーム状であることを特徴とするものである。
【００２４】
また、本発明にかかる電子機器は、上記記載の押釦スイッチ装置を搭載したことを特徴とするものである。
【発明の効果】
【００２５】
本発明にかかる押釦スイッチ装置及び電子機器は、筐体は、操作片の往復動方向の所定位置に固定配置された突起部と、突起部が固定配置された位置と反対側の位置に配設された可動接点と、を有し、突起部には第１のスイッチが実装されており、可動接点が第２のスイッチとなり、操作片の移動により、操作片の先端部が、突起部に実装された第１のスイッチと当接した際に、第１のスイッチが導通可能となり、操作片の先端部が、突起部により可動接点を押圧する方向に躍動案内され、操作片の先端部が可動接点を押圧した際に、第２のスイッチが導通可能となることを特徴とするものである。このように、操作片の先端部が、突起部により可動接点を押圧する方向に躍動案内され、操作片の先端部が可動接点を押圧した際に、第２のスイッチが導通可能となるため、操作者が操作方向を変えることなく、２段階のスイッチの切り替えを精度良く行うことが可能となる。
【発明を実施するための最良の形態】
【００２６】
まず、図４を参照しながら、本実施形態における押釦スイッチ装置について説明する。
【００２７】
本実施形態における押釦スイッチ装置は、操作片（１）を筐体（１０）内で往復動させ、スイッチ操作を行う押釦スイッチ装置であり、筐体（１０）は、操作片（１）の往復動方向の所定位置に固定配置された突起部（２）と、突起部（２）が固定配置された位置と反対側の位置に配設された可動接点（４）と、を有し、突起部（２）には第１のスイッチ（３）が実装されており、可動接点（４）が第２のスイッチ（４）となる。そして、操作片（１）の移動により、操作片（１）の先端部が、突起部（２）に実装された第１のスイッチ（３）と当接した際に、第１のスイッチ（３）が導通可能となり、操作片（１）の先端部が、突起部（２）により可動接点（４）を押圧する方向に躍動案内され、操作片（１）の先端部が可動接点（４）を押圧した際に、第２のスイッチ（４）が導通可能となることを特徴とするものである。
【００２８】
このように、操作片（１）の先端部が、突起部（２）により可動接点（４）を押圧する方向に躍動案内され、操作片（１）の先端部が可動接点（４）を押圧した際に、第２のスイッチ（４）が導通可能となる構造としたことで、操作者が操作方向を変えることなく、２段階のスイッチの切り替えを精度良く行うことが可能となる。以下、添付図面を参照しながら、本実施形態における押釦スイッチ装置について詳細に説明する。
【００２９】
（第１の実施形態）
まず、図４を参照しながら、本実施形態における押釦スイッチ装置の構成について説明する。
【００３０】
本実施形態における押釦スイッチ装置は、操作片（１）と、筐体（１０）と、を有し、操作片（１）を筐体（１０）内で往復動させ、スイッチ操作を行う横押し型の押釦スイッチ装置である。
【００３１】
筐体（１０）は、操作片（１）の往復動方向の所定位置に固定配置された方向変更ガイド（２）と、方向変更ガイド（２）が固定配置された位置と反対側の位置に配設された円形状のドームスイッチ（４）と、を有して構成される。
【００３２】
なお、本実施形態における押釦スイッチ装置は、図４に示すように、操作片（１）を筐体（１０）内に移動させ、操作片（１）の先端部と、方向変更ガイド（２）と、が接触した際に１段目のスイッチ（３）が機能し、操作片（１）を更に筐体（１０）内に押し込み、操作片（１）の先端部の進行方向が、方向変更ガイド（２）により、図４に示す矢印方向（Ａ）に変化し、操作片（１）の先端部が円形状のドームスイッチ（４）と当接し、ドームスイッチ（４）を押下することで、２段目のドームスイッチ（４）が機能することになる。
【００３３】
このように、本実施形態における押釦スイッチ装置は、図１に示す従来の横押し型の押釦スイッチ装置に存在する既存の操作片（１）と、方向変更ガイド（２）と、の接点部分に、第１のスイッチ（３）の機能を搭載することで、従来の図１に示す押釦スイッチ装置の既存の構造を用いて、２段階のスイッチ操作が可能な横押し型の押釦スイッチ装置を構築することが可能となり、装置全体の薄型化を図りつつ、２段階の横押し型の押釦スイッチ装置を構築することが可能となる。
【００３４】
次に、図５を参照しながら、本実施形態における押釦スイッチ装置の構成について詳細に説明する。なお、図５は、本実施形態における押釦スイッチ装置の構成を示した図である。
【００３５】
本実施形態における押釦スイッチ装置は、図５に示すように、方向変更ガイド（２）の表面に、２つの端子である１段目スイッチ端子（５）および１段目スイッチ端子（６）を実装する。また、操作片（１）の先端部に導体接点（７）を実装する。そして、操作片（１）の先端部と、方向変更ガイド（２）と、が接触する際に、操作片（１）の先端部に実装した導体接点（７）により、方向変更ガイド（２）に実装した１段目スイッチ端子（５）と１段目スイッチ端子（６）と、が導通するように構築した。
【００３６】
次に、図５を参照しながら、図４に示す１段目のスイッチ（３）が機能する際の動作ついて説明する。
【００３７】
図４に示す、方向変更ガイド（２）に実装される１段目のスイッチ（３）は、図５（ａ）に示すように、１段目スイッチ端子（５）と、１段目スイッチ端子（６）と、が開状態で方向変更ガイド（２）に実装されている。
【００３８】
そして、図５（ｂ）に示すように、操作片（１）を筐体（１０）内に押し込んだ際に、操作片（１）の先端部に実装された導体接点（７）が、１段目スイッチ端子（５）と１段目スイッチ端子（６）とに接触し、１段目のスイッチ（３）が閉状態となり、１段目のスイッチ（３）が導通状態となる。
【００３９】
そして、操作片（１）を筐体（１０）内に更に押し込むことで、操作片（１）の進行方向が、方向変更ガイド（２）に沿って、図５（ｂ）に示す矢印方向（Ａ）に変化し、操作片（１）の先端部が円形状のドームスイッチ（４）と当接し、ドームスイッチ（４）を押下することになる。これにより、２段目のドームスイッチ（４）が導通状態となる。
【００４０】
このように、本実施形態における押釦スイッチ装置は、操作片（１）の先端部に導体接点（７）を実装し、方向変更ガイド（２）に１段目スイッチ端子（５）及び１段目スイッチ端子（６）を実装する。そして、操作片（１）の移動により、操作片（１）の先端部に実装された導体接点（７）が、方向変更ガイド（２）に実装された１段目スイッチ端子（５）及び１段目スイッチ端子（６）に当接した際に、１段目スイッチ端子（５）及び１段目スイッチ端子（６）が導通可能となる。また、操作片（１）の先端部が、方向変更ガイド（２）によりドームスイッチ（４）を押圧する方向に躍動案内され、操作片（１）の先端部がドームスイッチ（４）を押圧した際に、ドームスイッチ（４）が導通可能となる。これにより、操作者が操作方向を変えることなく、２段階のスイッチの切り替えを精度良く行うことが可能となる。
【００４１】
従って、図３に示す２段階のスイッチ構造を適用した横押し型の押釦スイッチ装置では、筐体（１０）の形状が大きくなり、装置全体の形状が大きくなるのに対し、本実施形態における押釦スイッチ装置は、図１に示す従来の横押し型の押釦スイッチ装置と同等の構造となるため、押釦スイッチ装置全体の小型薄型化を図りつつ、２段階のスイッチ構造を構築することが可能となる。
【００４２】
また、図３に示す２段階のスイッチ構造を適用した押釦スイッチ装置は、筐体（１０）に配置された１段目のドームスイッチ（４１）を、操作片（１）の先端で押下し、１段目のドームスイッチ（４１）を閉状態にする際に、クリック感を必ず発生させてしまうことになり、このクリック感の発生により、１段目のスイッチを閉状態とする際に、操作片（１）がぶれてしまうのに対し、本実施形態における押釦スイッチ装置は、操作片（１）の先端部に実装された導体接点（７）が、方向変更ガイド（２）に実装された１段目スイッチ端子（５）及び１段目スイッチ端子（６）に当接した際に、１段目スイッチ端子（５）及び１段目スイッチ端子（６）が導通可能となる構造のため、１段目のスイッチが閉状態となる際に、クリック感を発生させることがないため、１段目のスイッチを閉状態とする際の操作片（１）のぶれを防止することが可能となる。
【００４３】
なお、図４、図５に示す１段目のスイッチ（３）の構造は、２段目のドームスイッチ（４）を導通状態にする際に、１段目のスイッチ（３）が開状態となるように構築したり、２段目のドームスイッチ（４）を導通状態にする際に、１段目のスイッチ（３）が閉状態を維持するように構築することも可能である。
【００４４】
例えば、図６に示すように、１段目スイッチ端子（５、６）を、方向変更ガイド（２）の一部分に実装し、導体接点（７）を、操作片（１）の先端部の中心位置に実装し、操作片（１）の先端部がドームスイッチ（４）を押圧し、２段目のドームスイッチ（４）が導通可能となる際に、操作片（１）の先端部に実装された導体接点（７）が、方向変更ガイド（２）に実装された１段目スイッチ端子（５、６）と当接しないように構成することで、２段目のドームスイッチ（４）を導通状態にする際に、１段目のスイッチ（３）が開状態となるようにすることが可能となる。なお、図５（ａ）に示すように、導体接点（７）を、操作片（１）の先端部の中心位置から上段側の位置に実装するのではなく、導体接点（７）を先端部の中心位置からドームスイッチ（４）側の位置に実装することでも、２段目のドームスイッチ（４）を導通状態にする際に、１段目のスイッチ（３）が開状態となるようにすることも可能である。
【００４５】
また、図７に示すように、１段目スイッチ端子（５、６）を、方向変更ガイド（２）の全面に実装し、また、導体接点（７）を、操作片（１）の先端部の中心位置から上段側の位置に実装し、２段目のドームスイッチ（４）が導通可能となる際に、操作片（１）の先端部に実装された導体接点（７）が、方向変更ガイド（２）に実装された１段目スイッチ端子（５、６）と当接するように構成することで、２段目のドームスイッチ（４）を導通状態にする際に、１段目のスイッチ（３）が閉状態を維持するようにすることが可能となる。
【００４６】
なお、図７に示すように、２段目のドームスイッチ（４）を導通状態にする際に、１段目のスイッチ（３）が閉状態を維持する構造の場合には、操作片（１）の先端部が方向変更ガイド（２）を常に押しつける状態で当接することになるため、１段目のスイッチ（３）がチャタリングなどを発生させずに安定した状態を維持することが可能となる。
【００４７】
また、本実施形態における押釦スイッチ装置は、操作片（１）の先端部と当接する方向変更ガイド（２）の部分を窪ませ、方向変更ガイド（２）にガイド溝を形成することで、操作片（１）の先端部を方向変更ガイド（２）に沿って移動させ易い構造に構築することも可能である。
【００４８】
（第２の実施形態）
次に、第２の実施形態について説明する。
第１の実施形態における押釦スイッチ装置は、図５に示すように、操作片（１）の先端部に実装された導体接点（７）を、方向変更ガイド（２）の表面に実装された２つの端子（５）および端子（６）に当接し、方向変更ガイド（２）に実装された２つの端子（５）および端子（６）を導通可能とする構造としたが、第２の実施形態における押釦スイッチ装置は、図８に示すように、方向変更ガイド（２）と操作片（１）との間に配設されたベロ（８）に導体接点（７）を実装し、操作片（１）の移動により、操作片（１）の先端部がベロ（８）と当接し、操作片（１）の移動と共に、ベロ（８）が方向変更ガイド（２）の方向に移動し、ベロ（８）に実装された導体接点（７）を、方向変更ガイド（２）に実装された２つの端子からなる１段目スイッチ端子（５）および１段目スイッチ端子（６）に当接し、１段目スイッチ端子（５）と１段目スイッチ端子（６）とが導通し、１段目のスイッチを導通可能とすることを特徴とするものである。これにより、操作片（１）を方向変更ガイド（２）に沿って移動する際に、操作片（１）の先端部が躍動しても、方向変更ガイド（２）の表面が削られることがなくなるため、方向変更ガイド（２）の表面を保護することが可能となる。以下、図８を参照しながら、第２の実施形態における押釦スイッチ装置について詳細に説明する。
【００４９】
第２の実施形態における押釦スイッチ装置は、図８に示すように、筐体（１０）は、方向変更ガイド（２）と操作片（１）との間に中吊り状に配設されたベロ（８）を有し、該ベロ（８）に導体接点（７）を実装することになる。そして、操作片（１）を筐体（１０）内に押し込み、操作片（１）の先端部をベロ（８）に当接させ、操作片（１）の移動と共に、ベロ（８）を方向変更ガイド（２）の方向に移動させ、ベロ（８）に実装された導体接点（７）を、方向変更ガイド（２）に実装された２つの端子からなる１段目スイッチ端子（５）および１段目スイッチ端子（６）に当接させることになる。これにより、１段目スイッチ端子（５）と１段目スイッチ端子（６）とが導通し、１段目のスイッチが導通可能となる。
【００５０】
そして、操作片（１）を更に筐体（１０）内に押し込み、操作片（１）の先端部の進行方向が、方向変更ガイド（２）と当接したベロ（８）により変化し、操作片（１）の先端部が円形状のドームスイッチ（４）と当接し、ドームスイッチ（４）を押下することで、２段目のドームスイッチ（４）が導通可能となる。
【００５１】
このように、第２の実施形態における押釦スイッチ装置は、方向変更ガイド（２）と操作片（１）との間に中吊り状に配設されたベロ（８）を設け、該ベロ（８）に導体接点（７）を実装し、該実装した導体接点（７）を、方向変更ガイド（２）に実装された２つの端子からなる１段目スイッチ端子（５）および１段目スイッチ端子（６）に当接させ、１段目のスイッチを導通可能とさせる構造とすることで、操作片（１）の先端部が摺動しても、方向変更ガイド（２）の表面を保護することが可能となる。
【００５２】
なお、本実施形態における押釦スイッチ装置は、操作片（１）の先端部と当接するベロ（８）の部分を窪ませ、ベロ（８）にガイド溝を形成することで、操作片（１）の先端部をベロ（８）に沿って移動させ易い構造に構築することも可能である。
【００５３】
（第３の実施形態）
次に、第３の実施形態について説明する。
第３の実施形態における押釦スイッチ装置は、図９に示すように、方向変更ガイド（２）と操作片（１）との間に配設されたベロ（８）に１段目スイッチ端子（５）を実装し、方向変更ガイド（２）に１段目スイッチ端子（６）を実装し、操作片（１）の移動により、操作片（１）の先端部がベロ（８）と当接し、操作片（１）の移動と共に、ベロ（８）が方向変更ガイド（２）の方向に移動し、ベロ（８）に実装された１段目スイッチ端子（５）を、方向変更ガイド（２）に実装された１段目スイッチ端子（６）に当接し、１段目スイッチ端子（５）と１段目スイッチ端子（６）とが導通し、１段目のスイッチを導通可能とすることを特徴とするものである。これにより、操作片（１）を方向変更ガイド（２）に沿って移動する際に、操作片（１）の先端部が躍動しても、方向変更ガイド（２）の表面が削られることがなくなるため、方向変更ガイド（２）の表面を保護することが可能となる。以下、図９を参照しながら、第３の実施形態における押釦スイッチ装置について詳細に説明する。
【００５４】
第３の実施形態における押釦スイッチ装置は、図９に示すように、筐体（１０）は、方向変更ガイド（２）と操作片（１）との間に中吊り状に配設されたベロ（８）を有し、該ベロ（８）に１段目スイッチ端子（５）を実装することになる。また、方向変更ガイド（２）の表面に１段目スイッチ端子（６）を実装することになる。そして、操作片（１）を筐体（１０）内に押し込み、操作片（１）の先端部をベロ（８）に当接させ、操作片（１）の移動と共に、ベロ（８）を方向変更ガイド（２）の方向に移動させ、ベロ（８）に実装された１段目スイッチ端子（５）を、方向変更ガイド（２）に実装された１段目スイッチ端子（６）に当接させることになる。これにより、１段目スイッチ端子（５）と１段目スイッチ端子（６）とが導通し、１段目のスイッチが導通可能となる。
【００５５】
そして、操作片（１）を更に筐体（１０）内に押し込み、操作片（１）の先端部の進行方向が、方向変更ガイド（２）と当接したベロ（８）により変化し、操作片（１）の先端部が円形状のドームスイッチ（４）と当接し、ドームスイッチ（４）を押下することで、２段目のドームスイッチ（４）が導通可能となる。
【００５６】
このように、第３の実施形態における押釦スイッチ装置は、１段目スイッチ端子（５）および１段目スイッチ端子（６）を導体接点（７）により導通可能にするのではなく、図９に示すように、ベロ（８）に１段目スイッチ端子（５）を実装し、方向変更ガイド（２）に１段目スイッチ端子（６）を実装し、１段目スイッチ端子（５）と、１段目スイッチ端子（６）と、を当接し、１段目のスイッチを導通可能とさせる構造とすることでも、操作片（１）の先端部が摺動しても、方向変更ガイド（２）の表面を保護することが可能となるように構築することが可能となる。
【００５７】
なお、本実施形態における押釦スイッチ装置は、操作片（１）の先端部と当接するベロ（８）の部分を窪ませ、ベロ（８）にガイド溝を形成することで、操作片（１）の先端部をベロ（８）に沿って移動させ易い構造に構築することも可能である。
【００５８】
（第４の実施形態）
次に、第４の実施形態について説明する。
第４の実施形態における押釦スイッチ装置は、１段目のスイッチを導通可能とする際に、操作片（１）にクリック感を生じさせる構造としたことを特徴とするものである。これにより、１段目のスイッチが機能した際にも、操作者にクリック感を生じさせることが可能となる。以下、図１０、図１１を参照しながら、第４の実施形態における押釦スイッチ装置について説明する。
【００５９】
例えば、図１０（ａ）に示すように、筐体（１０）の操作片（１）の挿入口に突起部（１１）を設け、また、操作片（１）にも突起部（１２）を設けることで、操作片（１）を移動させ、１段目のスイッチが導通可能となる際に、操作片（１）に設けた突起部（１２）と、筐体（１０）に設けた突起部（１１）と、が接触することになり、操作片（１）にクリック感を生じさせることが可能となる。
【００６０】
また、図１１（ａ）に示すように、筐体（１０）に突起部（１３）を設け、また、ベロ（８）にも突起部（１４）を設けることで、操作片（１）を移動させ、１段目のスイッチが導通可能となる際に、筐体（１０）に設けた突起部（１３）と、ベロ（８））に設けた突起部（１４）と、が接触することになり、操作片（１）にクリック感を生じさせることが可能となる。
【００６１】
このように、第４の実施形態における押釦スイッチ装置は、図１０に示すように、操作片（１）に突起部（１２）を設け、筐体（１０）にも突起部（１１）を設け、１段目のスイッチが導通可能となる際に、操作片（１）に設けた突起部（１２）と、筐体（１０）に設けた突起部（１１）と、が接触し、押釦スイッチ装置に構造的な引っ掛かりを構築したり、図１１に示すように、筐体（１０）に突起部（１３）を設け、ベロ（８）にも突起部（１４）を設け、１段目のスイッチが導通可能となる際に、筐体（１０）に設けた突起部（１３）と、ベロ（８）に設けた突起部（１４）と、が接触し、押釦スイッチ装置に構造的な引っ掛かりを構築したりすることで、１段目のスイッチを導通可能とする際に、操作片（１）にクリック感を生じさせることが可能となる。
【００６２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【産業上の利用可能性】
【００６３】
本発明にかかる押釦スイッチ装置は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）などの携帯型の電子機器に適用可能である。
【図面の簡単な説明】
【００６４】
【図１】従来の横押し型の押釦スイッチ装置の構造を示す第１の図である。
【図２】従来の横押し型の押釦スイッチ装置の構造を示す第２の図である。
【図３】従来の２段階のスイッチ構造を適用した横押し型の押釦スイッチ装置を示す図である。
【図４】第１の実施形態における押釦スイッチ装置の構造を示す図である。
【図５】図４に示す第１の実施形態における押釦スイッチ装置の１段目のスイッチ（３）の構造を説明するための図であり、（ａ）は、押釦スイッチ装置の上断面図を示し、（ｂ）は、押釦スイッチ装置の横断面図を示す。
【図６】２段目のドームスイッチ（４）を導通状態にする際に、１段目のスイッチ（３）が開状態となるようにした押釦スイッチ装置の構造を示す図である。
【図７】２段目のドームスイッチ（４）を導通状態にする際に、１段目のスイッチ（３）が閉状態を維持するようにした押釦スイッチ装置の構造を示す図である。
【図８】第２の実施形態における押釦スイッチ装置の構造を示す図である。
【図９】第３の実施形態における押釦スイッチ装置の構造を示す図である。
【図１０】第４の実施形態における押釦スイッチ装置の構造を示す第１の図である。
【図１１】第４の実施形態における押釦スイッチ装置の構造を示す第２の図である。
【符号の説明】
【００６５】
１    操作片
２    方向変更ガイド
３    １段目のスイッチ
４    ドームスイッチ
５    １段目スイッチ端子
６    １段目スイッチ端子
７    導体接点
８    ベロ
１０    筐体
１１、１２、１３、１４    突起部
４１    １段目ドームスイッチ
４２    ２段目ドームスイッチ
【図１】
2006202527.tif 000003
【図２】
2006202527.tif 000004
【図３】
2006202527.tif 000005
【図４】
2006202527.tif 000006
【図５】
2006202527.tif 000007
【図６】
2006202527.tif 000008
【図７】
2006202527.tif 000009
【図８】
2006202527.tif 000010
【図９】
2006202527.tif 000011
【図１０】
2006202527.tif 000012
【図１１】
2006202527.tif 000013